(57)【要約】    【課題】  色収差の補正を良好に行い高い光学性能を有したズームレンズを得ること。    【解決手段】  物体側から像側へ順に、正の屈折力の第１レンズ群、負の屈折力の第２レンズ群、１以上のレンズ群を含む後群を有し、ズーミングに際して、該第１レンズ群と第２レンズ群の間隔が変化するズームレンズにおいて、  該第１レンズ群は、負レンズと正レンズの貼り合せレンズ、若しくは負レンズと正レンズが空気間隔を隔てて隣接して配置したレンズ要素を含む全体として、１以上の負レンズと１以上の正レンズを有し、  該貼り合せレンズ若しくは該レンズ要素を構成する負レンズの材料のアッベ数をνｄ１ｎ、該材料の部分分散比θｇｄの値のθｇｄ標準線からの部分分散比方向の差をΔθｇd１ｎ、  該第１レンズ群中の正レンズの材料のアッベ数をνｄ１ｐとするとき、    νｄ１ｎ  ＜  ４０    Δθｇd１ｎ  ＜  ０．００５    νｄ１ｐ  ＜  ７５なる条件を満足すること。【選択図】図１
2007003600.tif 000002
【特許請求の範囲】
【請求項１】
物体側から像側へ順に、正の屈折力の第１レンズ群、負の屈折力の第２レンズ群、１以上のレンズ群を含む後群を有し、ズーミングに際して、該第１レンズ群と第２レンズ群の間隔が変化するズームレンズにおいて、
該第１レンズ群は、負レンズと正レンズの貼り合せレンズ、若しくは負レンズと正レンズが空気間隔を隔てて隣接して配置したレンズ要素を含む全体として、１以上の負レンズと１以上の正レンズを有し、
該貼り合せレンズ若しくは該レンズ要素を構成する負レンズの材料のアッベ数をνｄ１ｎ、該材料の部分分散比θｇｄの値のθｇｄ標準線からの部分分散比方向の差をΔθｇd１ｎ、
該第１レンズ群中の正レンズの材料のアッベ数をνｄ１ｐとするとき、
νｄ１ｎ  ＜  ４０
Δθｇｄ１ｎ  ＜  ０．００５
νｄ１ｐ  ＜  ７５
なる条件を満足することを特徴とするズームレンズ。
【請求項２】
前記第１レンズ群の焦点距離をｆ１、前記第１レンズ群中の貼り合せレンズ若しくは前記レンズ要素を構成する負レンズの焦点距離をｆ１ｎとするとき、
０．６  ＜  ｜ｆ１ｎ｜／ｆ１  ＜  １．４
なる条件を満足することを特徴とする請求項１に記載のズームレンズ。
【請求項３】
前記第１レンズ群の焦点距離をｆ１、全系の広角端と望遠端での焦点距離を各々ｆｗ、ｆｔとするとき、
【数１】
2007003600.tif 000007
なる条件を満足することを特徴とする請求項１又は２に記載のズームレンズ。
【請求項４】
ズーミングに際して広角端に比べ望遠端での前記第１レンズ群と前記第２レンズ群の間隔が大きくなるように該第１レンズ群が移動することを特徴とする請求項１，２又は３に記載のズームレンズ。
【請求項５】
物体側より像側へ順に、前記後群は正の屈折力の第３レンズ群、負の屈折力の第４レンズ群、正の屈折力の第５レンズ群、負の屈折力の第６レンズ群から成ることを特徴とする請求項１から４のいずれか１項に記載のズームレンズ。
【請求項６】
物体側より像側へ順に、前記後群は正の屈折力の第３レンズ群、正の屈折力の第４レンズ群を有することを特徴とする請求項１から４のいずれか１項に記載のズームレンズ。
【請求項７】
物体側より像側へ順に、前記後群は正の屈折力の第３レンズ群、正の屈折力の第４レンズ群、負の屈折力の第５レンズ群を有することを特徴とする請求項１から４のいずれか１項に記載のズームレンズ。
【請求項８】
前記第２，第３レンズ群の焦点距離を各々ｆ２，ｆ３、全系の広角端と望遠端での焦点距離を各々ｆｗ，ｆｔとするとき
【数２】
2007003600.tif 000008
なる条件を満足することを特徴とする請求項５，６又は７に記載のズームレンズ。
【請求項９】
前記第２レンズ群の全体、若しくは一部のレンズ群を光軸に対して略垂直方向の成分を持つように移動させることにより、結像位置の補正を行うことを特徴とする請求項１から８のいずれか１項に記載のズームレンズ。
【請求項１０】
固体撮像素子に像を形成することを特徴とする請求項１から９のいずれか１項に記載のズームレンズ。
【請求項１１】
請求項１から１０のいずれか１項のズームレンズと該ズームレンズによって形成された像を受光する固体撮像素子を有していることを特徴とする撮像装置。
【発明の詳細な説明】
【技術分野】
【０００１】
本発明はズームレンズ及びそれを有する撮像装置に関し、例えばデジタルカメラ、ビデオカメラ、銀塩フィルム用カメラ等の撮像装置に好適なものである。
【背景技術】
【０００２】
近年、撮像装置の小型化に伴って、そこに搭載される撮像光学系にも光学性能を高く維持したままで全系が小型化であることが要求されている。
【０００３】
また、より広範囲な撮影条件に対応するために、撮影光学系として高変倍（高ズーム比）のズームレンズであることが望まれている。
【０００４】
中でも、３５ｍｍフィルムサイズ換算で望遠端での焦点距離が２００〜３００ｍｍ程度になるような長焦点距離を含む所謂望遠ズームレンズは、気軽に望遠域の撮影が出来るため需要が大きい。
【０００５】
そのため、このような望遠ズームレンズが従来から種々提案されている（特許文献１，２）。
【０００６】
特許文献１では、物体側から像側へ順に正、負、正、正の屈折力のレンズ群の４群より成りズーム比が３倍程度の大口径比の望遠ズームレンズを提案している。
【０００７】
また特許文献２では、物体側から像側へ順に正、負、正、負、正、負の屈折力のレンズ群の６群より成り、ズーム比が４倍程度の高変倍の望遠ズームレンズを提案している。
【０００８】
このような望遠端での焦点距離が長い望遠ズームレンズでは、特に、望遠端で軸上色収差、倍率色収差が多く発生しやすい。そのため、そのような望遠ズームレンズでは望遠端での軸上光束径が大きくなり且つ軸外光束の高さも高くなるレンズ群に強い色消し作用を有するレンズ要素を配置している。
【０００９】
一般的な、望遠端でテレフォトタイプの屈折力配置を持つ望遠ズームレンズでは、強い色消しを行うレンズ要素は正の屈折力を持つ第１レンズ群に配置している。第１レンズ群内ではアッベ数の大きい（分散の小さい）硝材による正レンズとアッベ数の小さい（分散の大きい）硝材による負レンズの組合せによる色消しを行うのが一般的な手法である。第１レンズ群中の正レンズと負レンズの材料のアッベ数の差を大きくするほど色収差補正の効果が高い。
【００１０】
しかし、ここで正レンズの材料に使われるアッベ数の大きい材料は、特にアッベ数が８０を超えるような材料になるとレンズ加工が難しくなる。特に機械的特性により加工難易度が高くなり、製造が難しくなってくる。
【００１１】
また、このようなガラス材料は硝材費が比較的高く、前述の加工難易度の高さと合せて総合的に光学系のコストが高くなる。
【００１２】
更に、望遠ズームレンズにおける第１レンズ群には、ズーミング中光軸からの高さが最も高い軸上光束が通る。このため第１レンズ群中の各レンズは光学系の中で一番径が大きくなるため、高重量になる傾向がある。
【特許文献１】特開平６−５１２０２号公報
【特許文献２】特開平７−２６１０７９号公報
【発明の開示】
【発明が解決しようとする課題】
【００１３】
特許文献１は４群構成のズームレンズで、Ｆｎｏ．が２．８程度と大口径でありながら良好な光学性能を実現している。しかしながら光学系の中でも一番大きい有効径を持つ第１レンズ群の正レンズの材料にアッベ数が８０を超える硝材を多用しているため、製造が大変難しくなる傾向がある。
【００１４】
また特許文献２は、第１レンズ群中の正レンズの材料にアッベ数の大きい硝材は使われていない。そのために望遠端での色収差の補正にまだ検討の余地がある。
【００１５】
本発明は、望遠端でテレフォトタイプの屈折力配置を取る望遠型のズームレンズにおいて第１レンズ群のレンズ構成を適切に設定することにより、色収差の補正を良好に行い高い光学性能を有したズームレンズの提供を目的とする。
【課題を解決するための手段】
【００１６】
本発明のズームレンズは、
物体側から像側へ順に、正の屈折力の第１レンズ群、負の屈折力の第２レンズ群、１以上のレンズ群を含む後群を有し、ズーミングに際して、該第１レンズ群と第２レンズ群の間隔が変化するズームレンズにおいて、
該第１レンズ群は、負レンズと正レンズの貼り合せレンズ、若しくは負レンズと正レンズが空気間隔を隔てて隣接して配置したレンズ要素を含む全体として、１以上の負レンズと１以上の正レンズを有し、
該貼り合せレンズ若しくは該レンズ要素を構成する負レンズの材料のアッベ数をνｄ１ｎ、該材料の部分分散比θｇｄの値のθｇｄ標準線からの部分分散比方向の差をΔθｇd１ｎ、
該第１レンズ群中の正レンズの材料のアッベ数をνｄ１ｐとするとき、
νｄ１ｎ  ＜  ４０            ‥‥‥（１）
Δθｇｄ１ｎ  ＜０．００５    ‥‥‥（２）
νｄ１ｐ  ＜  ７５            ‥‥‥（３）
なる条件を満足することを特徴としている。
【発明の効果】
【００１７】
本発明によれば、色収差の補正を良好に行い高い光学性能を有したズームレンズが得られる。
【発明を実施するための最良の形態】
【００１８】
以下、本発明のズームレンズ及びそれを有する撮像装置の実施例について説明する。
【００１９】
図１は本発明の実施例１のズームレンズの広角端（短焦点距離）におけるレンズ断面図、図２，図３はそれぞれ実施例１のズームレンズの広角端，望遠端（長焦点距離）における収差図である。
【００２０】
図４は本発明の実施例２のズームレンズの広角端におけるレンズ断面図、図５，図６はそれぞれ実施例２のズームレンズの広角端，望遠端における収差図である。
【００２１】
図７は本発明の実施例３のズームレンズの広角端におけるレンズ断面図、図８，図９はそれぞれ実施例３のズームレンズの広角端，望遠端における収差図である。
【００２２】
図１０は本発明の実施例４のズームレンズの広角端におけるレンズ断面図、図１１，図１２はそれぞれ実施例４のズームレンズの広角端，望遠端における収差図である。
【００２３】
図１３は本発明のズームレンズを備えるカメラ（撮像装置）の要部概略図である。各実施例のズームレンズはビデオカメラやデジタルカメラそして銀塩フィルムカメラ等の撮像装置に用いられる撮影レンズ系であり、レンズ断面図において、左方が被写体側（前方）で、右方が像側（後方）である。レンズ断面図において、ｉは物体側からのレンズ群の順番を示し、Ｌｉは第ｉレンズ群である。ＳＰは開口絞りである。
【００２４】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。
【００２５】
収差図において、ｄ，ｇ，Ｃ，Ｆは各々ｄ線，ｇ線，Ｃ線，Ｆ線である。ｄＭ，ｄＳはｄ線でのメリディオナル像面，サジタル像面、  ｇＭ，ｇＳはｇ線でのメリディオナル像面，サジタル像面、  倍率色収差はｇ線によって表している。
【００２６】
ＦｎｏはＦナンバー、Ｙは像高である。
【００２７】
尚、以下の各実施例において広角端と望遠端は変倍用レンズ群が機構上光軸上を移動可能な範囲の両端に位置したときのズーム位置をいう。
【００２８】
各実施例では、広角端から望遠端へのズーミングに際して矢印のように各レンズ群を移動させている。
【００２９】
次に各実施例の構成を具体的に説明する。
【００３０】
図１の実施例１のズームレンズは物体側より像側へ順に、正の屈折力の第１レンズ群Ｌ１、負の屈折力の第２レンズ群Ｌ２、正の屈折力の第３レンズ群Ｌ３、ズーミングに際して第３レンズ群Ｌ３と一体移動する開口絞りＳＰ、負の屈折力の第４レンズ群Ｌ４、正の屈折力の第５レンズ群Ｌ５、負の屈折力の第６レンズ群Ｌ６より構成している。
【００３１】
広角端から望遠端へのズーミングに際しては広角端に比べて望遠端において第１レンズ群Ｌ１と第２レンズ群Ｌ２の間隔が増加、第２レンズＬ２と第３レンズ群Ｌ３の間隔が減少、第３レンズ群Ｌ３と第４レンズ群Ｌ４の間隔が増加、第４レンズ群Ｌ４と第５レンズ群Ｌ５の間隔が変化、第５レンズ群Ｌ５と第６レンズ群Ｌ６の間隔が減少するように、第１レンズ群Ｌ１と第３レンズ群Ｌ３と第６レンズ群Ｌ６が光軸上を物体側に移動し、第５レンズ群Ｌ５が物体側に凸状の軌跡を描くような軌跡で移動している。
【００３２】
ズーミングに際して、第２レンズ群Ｌ２と第４レンズ群Ｌ４は光軸上不動である。
【００３３】
広角端においては互いに近接した第１レンズ群Ｌ１と第２レンズ群Ｌ２の合成焦点距離が負となり、それ以降のレンズ群の合成焦点距離が正となって、レンズ系全体がレトロフォーカス型に近い屈折力配置となる。
【００３４】
一方で望遠端では互いに近接した第２レンズ群Ｌ２と第３レンズ群Ｌ３の合成焦点距離が負となってレンズ系全体が略テレフォト型の屈折力配置となっている。また、ズーミング時に第５レンズ群Ｌ５と第６レンズ群Ｌ６を非線形に移動させることで、変倍時の像面変動及び焦点位置変動を補正している。
【００３５】
更に最も像面側に配置した第６レンズ群Ｌ６を負の屈折力のレンズ群にすることでコマ収差等の非対称性収差の補正を良好に行っている。
【００３６】
更に、広角端から望遠端に向けて第１レンズ群Ｌ１が物体側に移動するようにすることで、広角端側を沈胴状態として収納時にレンズ全長のコンパクト化を図っている。
【００３７】
このような構成とすることで、実施例１のズームレンズでは約４倍という高いズーム比を持ちつつもレンズ系全体をコンパクトとした望遠型のズームレンズを実現している。
【００３８】
以上のような構成において、実施例１のズームレンズでは更に第１レンズ群Ｌ１を１つの負レンズと２つの正レンズより構成しており、その内１枚の負レンズと１枚の正レンズで貼り合せレンズを構成している。
【００３９】
この貼り合せレンズは特に望遠端での色収差、中でも特に軸上色収差を良好に補正するために、負レンズの材料には比較的アッベ数の小さい（分散の大きい）材料、正レンズの材料には比較的アッベ数の大きい（分散の小さい）材料を使用して、望遠端での軸上光束が最も高くなる第１レンズ群Ｌ１で色消しを行っている。
【００４０】
更に実施例１では、この貼り合せレンズを構成する負レンズの材料のアッベ数をνｄ１ｎ、その材料の部分分散比θｇｄの値のθｇｄ、標準線からの部分分散比方向の差をΔθｇｄ１ｎ、第１レンズ群Ｌ１中全ての正レンズの材料のアッベ数をνｄ１ｐとするとき、
νｄ１ｎ  ＜  ４０            ‥‥‥（１）
Δθｇｄ１ｎ  ＜０．００５    ‥‥‥（２）
νｄ１ｐ  ＜  ７５            ‥‥‥（３）
なる条件を満足する材料を用いている。これによって充分な色収差の補正を行いつつ高い光学性能を有した光学系を実現している。
【００４１】
ここでフラウンフォーファ線のｇ線，ｄ線，Ｆ線，Ｃ線に対する材料の屈折率をそれぞれＮｇ，Ｎｄ，ＮＦ，ＮＣとするときアッベ数νｄと部分分散比θｇｄは
νｄ＝（Ｎｄ−１）／（ＮＦ−ＮＣ）
θｇＦ＝（Ｎｇ−Ｎｄ）／（ＮＦ−ＮＣ）
で表されるものである。
【００４２】
ここで部分分散比θｇｄの値のθｇｄ標準線からの部分分散比（縦軸）方向の差とは、図１４に示すように材料のｄ線のアッベ数をνｄとし、部分分散比θｇｄとしたときの、縦軸をθｇｄ、横軸をνｄとし、ショット社製，商品名Ｋ７（νｄ＝60.41，θｇｄ＝1.238）と商品名Ｆ２（νｄ＝36.37，θｇｄ＝1.289）を直線で結んだ線を標準線ＳＬとしたときの標準線ＳＬからの縦軸方向（部分分散比方向θｇｄ）の値の差のことである。
【００４３】
次に前述の条件式（１）〜（３）の技術的意味について説明する。
【００４４】
条件式（１）は貼り合せレンズの基本的な色消し能力に関する。条件式（１）の上限を超えて負レンズの材料のアッベ数が大きくなると、組合せレンズで色消しを行う正レンズの材料とのアッベ数の差（分散の差）が小さくなり基準波長となる２色間（例えばｄ線−ｇ線やｄ線−Ｆ線）での色収差の補正が困難となって望ましくない。
【００４５】
条件式（２）は前記基準の２色間以外の色消し能力に関する。条件式（２）の上限を超えて負レンズの材料の部分分散比θｇｄが大きくなると、可視域全域での充分な色収差補正が困難となり望ましくない。
【００４６】
条件式（３）は第１レンズ群Ｌ１の製造を容易にする為の条件である。第１レンズ群Ｌ１を構成する正レンズの材料に一つでも条件式（３）の上限を超えてアッベ数の大きい硝材を使用すると、条件式（１），（２）と組み合せることで色収差の補正能力は極限まで向上するが、反面材料の加工が難しくなり望ましくない。
【００４７】
又、実施例１のズームレンズは第１レンズ群Ｌ１の有効径が最も大きくなり、第１レンズ群Ｌ１を構成する各レンズを精度良く加工するのが難しくなってくる。
更に、（３）の上限を超えてアッベ数の大きい硝材は比較的比重が高くなる傾向がある。そのため（３）の条件を外れることは第１レンズ群Ｌ１の高重量化にも繋がり、それを保持、駆動するメカ機構にも大きな負荷を与えることになる。
また、（３）の上限を超えてアッベ数の大きい硝材はコストも高い傾向があり、有効径が大きくなる第１レンズ群にそのような硝材を使用すると大きなコストアップとなり望ましくない。
【００４８】
以上のように、実施例１によるズームレンズは前述のような構成とすることで、色収差を充分に補正して良好な光学性能を有した望遠型のズームレンズを実現している。
【００４９】
実施例１では、更に次に述べる条件を満足するのが良く、これによれば、より良好なる光学性能が得られる。
【００５０】
第１レンズ群Ｌ１の焦点距離をｆ１、第１レンズ群Ｌ１中の貼り合せレンズを構成する負レンズの焦点距離をｆ１ｎとするとき、
０．６  ＜  ｜ｆ１ｎ｜／ｆ１  ＜  １．４      ‥‥‥（４）
なる条件を満足することである。
【００５１】
条件式（４）は色収差の補正と他の諸収差の補正をバランス良く行うための条件である。条件式（４）の下限を超えて貼り合せレンズを構成する負レンズの屈折力が強くなりすぎると球面収差など色収差以外の諸収差が増大し、これを補正するのが困難となる。また上限を超えて負レンズの屈折力が弱くなりすぎると色収差の補正能力が弱くなるので良くない。
【００５２】
更に、全ズーム範囲にわたり、良好なる光学性能を得るには、レンズ系全系の広角端での焦点距離をｆｗ、望遠端での焦点距離をｆｔとするとき、
【００５３】
【数３】
2007003600.tif 000003
【００５４】
なる条件を満足するのが良い。
【００５５】
条件式（５）は光学系全体の大きさと光学性能とをバランス良くするための条件である。下限を超えて第１レンズ群Ｌ１の屈折力が強くなりすぎると特に、望遠端での球面収差などの諸収差の発生が大きくなり、これらを補正するのが困難となる。また上限を超えて第１レンズ群Ｌ１の屈折力が弱くなりすぎると第１レンズ群Ｌ１と第２レンズ群Ｌ２間での変倍能力が弱まり、所望のズーム比を得ようとすると光学系全長が大きくなってしまうため良くない。
【００５６】
尚、更に、好ましくは前述の条件式（１）から（５）の数値範囲を以下の如く設定するのが良い。
【００５７】
νｄ１ｎ  ＜  ３８                              ‥‥‥（１ａ）
Δθｇｄ１ｎ  ＜  ０．００３                    ‥‥‥（２ａ）
νｄ１ｐ  ＜  ７２                              ‥‥‥（３ａ）
０．７  ＜  ｜ｆ１ｎ｜／ｆ１  ＜  １．２        ‥‥‥（４ａ）
【００５８】
【数４】
2007003600.tif 000004
【００５９】
実施例１のズームレンズでは、第２レンズ群Ｌ２の全部又は一部を光軸に対し垂直方向の成分を持つように移動させて像位置を変位させている。例えば、光学系が振動したときの撮影画像のブレを補正している。
【００６０】
一般に、光学系の一部の補正レンズ群を光軸に対して垂直方向の成分を持つように平行偏心又は回動偏心させて画像ブレを補正するとき、補正レンズ群を光学系中から適切に設定しないと、駆動機構が大型化し、又光学性能が低下してくる。又、補正レンズ群の偏心移動に対する像ブレの補正効果が小さいと、充分な像ブレの補正効果を得るために補正レンズ群の移動量を多くとる必要がある。この結果、像ブレの補正のためのメカ機構が大型化してくる。
【００６１】
一方、補正レンズ群の偏心移動に対する像ブレの補正効果を強め過ぎてしまうと、一定の像ブレの補正をする際の正確なレンズ移動制御を行うことが難しくなったり、像ブレ補正時の偏心収差が大きくなり光学性能が低下してくるので良くない。
【００６２】
実施例１のズームレンズでは、第２レンズ群Ｌ２と第３レンズ群Ｌ３の屈折力配置を適切に与えることで、第２レンズ群Ｌ２を光軸に対し垂直方向の成分を持つように移動させて、光学系が振動したときの撮影画像のブレを補正している。実施例１では第２レンズ群Ｌ２の焦点距離をｆ２、第３レンズ群の焦点距離をｆ３とするとき、
【００６３】
【数５】
2007003600.tif 000005
【００６４】
の条件を満足している。
【００６５】
実施例１ではこの条件（６），（７）を満足させることによって、偏心敏感度が低いために像ブレ補正時に過度の偏心移動量を必要としたり、逆に偏心敏感度が高過ぎて位置制御が困難になったりすることがない。
【００６６】
これによって像ブレを良好に補正している。
また、条件式（５）同様、（６）、（７）も光学系全体の大きさと光学性能とのバランスを良くするための条件になっている。（６）、（７）を満足させることによって、変倍作用の大部分を担う第１レンズ群、第２レンズ群、第３レンズ群の屈折力をより好適なバランスにして、高い変倍比でコンパクトな光学系を構成しつつ良好な光学性能を実現している。
【００６７】
図４の実施例２のズームレンズは、実施例１と同じく物体側より像側へ順に、正の屈折力の第１レンズ群Ｌ１、負の屈折力の第２レンズ群Ｌ２、正の屈折力の第３レンズ群Ｌ３、第３レンズ群と一体移動する開口絞りＳＰ、負の屈折力の第４レンズ群Ｌ４、正の屈折力の第５レンズ群Ｌ５、負の屈折力の第６レンズ群Ｌ６より構成されている。
【００６８】
また、実施例２のズームレンズでは第１レンズ群Ｌ１を１つの負レンズ１枚と２つの正レンズで構成している。そして、その内１枚の負レンズと１枚の正レンズは微小の空気間隔を隔てて隣接させて配置してレンズ要素Ｌ１ａを構成している。このレンズ要素Ｌ１ａで色消しレンズ系を構成している。
【００６９】
レンズ要素Ｌ１ａを構成する負レンズは実施例１の第１レンズ群Ｌ１中の貼り合わせレンズの負レンズに相当している。
【００７０】
この色消しレンズ系Ｌ１ａは特に望遠端での色収差、中でも特に軸上色収差を良好に補正するために、負レンズには比較的アッベ数の小さい（分散の大きい）材料、正レンズには比較的アッベ数の大きい（分散の小さい）材料を使用している。そして望遠端での軸上光束が最も高くなる第１レンズ群Ｌ１に色消しレンズ系Ｌ１ａを設けて色消しを良好に行っている。
【００７１】
その他のズーミング時の各レンズ群の移動や、条件式（１）から（７）に関する条件、更に第２レンズ群Ｌ２の全部又は一部を光軸に対し垂直方向の成分を持つように移動させて光学系に振動が与えられた時の撮影画像のブレを補正することなどは実施例１と同様である。
【００７２】
それにより色収差を充分に補正して良好な光学性能が得られる望遠型のズームレンズを実現している。
【００７３】
図７の実施例３のズームレンズは物体側より像側へ順に、正の屈折力の第１レンズ群Ｌ１、負の屈折力の第２レンズ群Ｌ２、正の屈折力の第３レンズ群Ｌ３、第３レンズ群と一体移動する開口絞りＳＰ、正の屈折力の第４レンズ群Ｌ４、負の屈折力の第５レンズ群Ｌ５より構成されている。
【００７４】
広角端から望遠端へのズーミングに際しては第１レンズ群Ｌ１と第２レンズ群Ｌ２の間隔が増加、第２レンズＬ２と第３レンズ群Ｌ３の間隔が減少、第３レンズ群Ｌ３と第４レンズ群Ｌ４の間隔が増加、第４レンズ群Ｌ４と第５レンズ群Ｌ５の間隔が減少するように、第１レンズ群Ｌ１と第３レンズ群Ｌ３と第５レンズ群Ｌ５が矢印の如く光軸上を物体側に移動している。
【００７５】
広角端においては互いに近接した第１レンズ群Ｌ１と第２レンズ群Ｌ２の合成焦点距離が負となり、それ以降のレンズ群の合成焦点距離が正となって、レンズ系全体がレトロフォーカス型に近い屈折力配置となる。
【００７６】
一方で望遠端では近接した第２レンズ群Ｌ２と第３レンズ群Ｌ３の合成焦点距離が負となってレンズ系全体が略テレフォト型の屈折力配置となっている。また、最も像面側に配置した第５レンズ群Ｌ５を負の屈折力にすることでコマ収差等の非対称性収差の補正を良好に行っている。
【００７７】
更に、広角端から望遠端へのズーミングに際して第１レンズ群Ｌ１が物体側に移動するようにすることで、広角端側を沈胴状態として収納時にレンズ全長がコンパクトとなるようにしている。
【００７８】
このような構成とすることで、実施例３では約３．３倍というズーム比を有したコンパクトな望遠型のズームレンズを実現している。
【００７９】
以上のような構成において、実施例３のズームレンズでは第１レンズ群Ｌ１を１つの負レンズと２つの正レンズで構成している。
【００８０】
そしてその内１枚の負レンズと１枚の正レンズで貼り合せレンズを構成している。この貼り合せレンズは特に望遠端での色収差、中でも特に軸上色収差を良好に補正するために、負レンズには比較的アッベ数の小さい（分散の大きい）材料、正レンズには比較的アッベ数の大きい（分散の小さい）材料を使用している。実施例３では、望遠端での軸上光束が最も高くなる第１レンズ群Ｌ１で良好なる色消しを行っている。
【００８１】
その他の条件式（１）から（７）に関する条件などは実施例１と同様で、それにより色収差を充分に補正して良好な光学性能が得られる望遠型のズームレンズを実現している。
【００８２】
図１０の実施例４のズームレンズは物体側より像側へ順に、正の屈折力の第１レンズ群Ｌ１、負の屈折力の第２レンズ群Ｌ２、正の屈折力の第３レンズ群Ｌ３、開口絞りＳＰ、正の屈折力の第４レンズ群Ｌ４より構成されている。
【００８３】
広角端から望遠端へのズーミングに際しては第１レンズ群Ｌ１と第２レンズ群Ｌ２の間隔が増加、第２レンズＬ２と第３レンズ群Ｌ３の間隔が減少、第３レンズ群Ｌ３と第４レンズ群Ｌ４の間隔が増加するように、第１レンズ群Ｌ１と第３レンズ群Ｌ３が光軸上を物体側に移動し、第２レンズ群Ｌ２が光軸上を像面側に移動している。
【００８４】
広角端においては互いに近接した第１レンズ群Ｌ１と第２レンズ群Ｌ２の合成焦点距離が負となり、それ以降のレンズ群の合成焦点距離が正となって、レンズ系全体がレトロフォーカス型に近い屈折力配置となる。
【００８５】
一方で望遠端では互いに近接した第２レンズ群Ｌ２と第３レンズ群Ｌ３の合成焦点距離が負となってレンズ系全体が略テレフォト型の屈折力配置となっている。更に、広角端から望遠端へのズーミングに際して第１レンズ群Ｌ１が物体側に移動するようにすることで、広角端側を沈胴状態として収納時にレンズ全長のコンパクトを図っている。
【００８６】
このような構成とすることで、実施例４のズームレンズでは約３倍というズーム比を有したコンパクトな望遠型のズームレンズを実現している。
【００８７】
以上のような構成において、実施例４のズームレンズでは更に第１レンズＬ１群を１つの負レンズと２つの正レンズより構成としている。そしてその内１枚の負レンズと１枚の正レンズで貼り合せレンズを構成している。この貼り合せレンズは特に望遠端での色収差、中でも特に軸上色収差を良好に補正するために、負レンズには比較的アッベ数の小さい（分散の大きい）材料、正レンズには比較的アッベ数の大きい（分散の小さい）材料を使用している。
【００８８】
実施例４では望遠端での軸上光束が最も高くなる第１レンズ群Ｌ１で色消しを行っている。
【００８９】
その他の条件式（１）から（７）に関する条件などは実施例１と同様で、それにより色収差を充分に補正して良好な光学性能が得られる望遠型のズームレンズを実現している。
【００９０】
以下に実施例１〜４に各々対応する数値実施例１〜４を示す。各数値実施例において、ｉは物体側からの面の順番を示し、ｒｉは各面の曲率半径、ｄｉは第ｉ面と第ｉ＋１面との間の部材肉厚又は空気間隔、ｎｉとνｉはそれぞれｄ線を基準とした屈折率、アッベ数を示す。
【００９１】
ｆは焦点距離、ＦｎｏはＦナンバー、ωは半画角を示す。又、前述の各条件式と数値実施例における諸数値との関係を表−１に示す。
【００９２】
数値実施例１
f=  72.4〜290.0 FNo=1: 4.1〜5.9   2ω=33.3°〜8.5°
r 1=   275.795        d 1=   2.60    n 1=1.74950  ν 1=35.3
r 2=    67.272        d 2=   6.85    n 2=1.48749  ν 2=70.2
r 3=  -602.521        d 3=   0.20                          
r 4=    84.363        d 4=   6.15    n 3=1.51633  ν 3=64.1
r 5=  -263.696        d 5= 可変                            
r 6=  -137.771        d 6=   1.40    n 4=1.71300  ν 4=53.9
r 7=    64.798        d 7=   3.64                          
r 8=   -41.270        d 8=   1.10    n 5=1.60311  ν 5=60.6
r 9=    61.128        d 9=   2.90    n 6=1.84666  ν 6=23.9
r10=  -366.719        d10= 可変                            
r11=    60.128        d11=   4.60    n 7=1.49700  ν 7=81.5
r12=   -73.825        d12=   0.20                          
r13=    59.578        d13=   4.70    n 8=1.48749  ν 8=70.2
r14=   -59.578        d14=   1.50    n 9=1.83400  ν 9=37.2
r15=     0.000        d15=   4.40                          
r16=     0.000(絞り)  d16= 可変                            
r17=   -55.580        d17=   2.80    n10=1.51633  ν10=64.1
r18=  -122.975        d18= 可変                            
r19=   155.000        d19=   4.40    n11=1.60311  ν11=60.6
r20=   -39.321        d20=   1.80    n12=1.80518  ν12=25.4
r21=   -76.835        d21=   0.20                          
r22=    63.185        d22=   2.80    n13=1.58913  ν13=61.1
r23=     0.000        d23= 可変                            
r24=   -47.006        d24=   1.50    n14=1.77250  ν14=49.6
r25=    43.075        d25=   2.90    n15=1.80518  ν15=25.4
r26=   180.000        d26= 可変                            
焦点距離  72.40 134.99 290.00 
可変間隔                             
d  5       5.14  35.87  59.54  
d 10      30.37  20.07   2.86  
d 16       4.31  14.62  31.82  
d 18      23.91  17.65  16.93  
d 23      19.91  14.64   3.38  
数値実施例２
f=  72.4〜290.0 FNo=1: 4.1〜5.9   2ω=33.3°〜8.5°
r 1=   364.109        d 1=   2.60    n 1=1.74950  ν 1=35.3
r 2=    65.920        d 2=   0.30                          
r 3=    66.511        d 3=   6.83    n 2=1.51633  ν 2=64.1
r 4=  -515.378        d 4=   0.20                          
r 5=    83.489        d 5=   6.55    n 3=1.51633  ν 3=64.1
r 6=  -255.230        d 6= 可変                            
r 7=  -105.609        d 7=   1.40    n 4=1.77250  ν 4=49.6
r 8=    72.088        d 8=   3.17                          
r 9=   -46.157        d 9=   1.10    n 5=1.60311  ν 5=60.6
r10=    65.363        d10=   3.17    n 6=1.84666  ν 6=23.9
r11=  -276.995        d11= 可変                            
r12=    59.654        d12=   4.59    n 7=1.48749  ν 7=70.2
r13=   -70.940        d13=   0.20                          
r14=    61.369        d14=   4.68    n 8=1.48749  ν 8=70.2
r15=   -61.369        d15=   1.50    n 9=1.83400  ν 9=37.2
r16=-611138.495       d16=   4.40                          
r17=     0.000(絞り)  d17= 可変                            
r18=   -55.662        d18=   2.80    n10=1.60311  ν10=60.6
r19=  -109.294        d19= 可変                            
r20=   148.960        d20=   5.22    n11=1.60311  ν11=60.6
r21=   -35.509        d21=   1.80    n12=1.80518  ν12=25.4
r22=   -72.804        d22=   0.20                          
r23=    57.580        d23=   3.71    n13=1.60311  ν13=60.6
r24=   634.684        d24= 可変                            
r25=   -51.703        d25=   1.50    n14=1.77250  ν14=49.6
r26=    32.936        d26=   3.22    n15=1.80518  ν15=25.4
r27=   103.784        d27= 可変                            
焦点距離  72.40 135.00 290.00 
可変間隔                             
d  6       4.60  35.16  59.56  
d 11      28.53  18.74   2.63  
d 17       4.02  13.80  29.92   
d 19      27.34  20.59  20.63  
d 24      20.54  15.15   3.75  
数値実施例３
f=  92.7〜291.0 FNo=1: 4.7〜5.9     2ω=26.3°〜8.5°
r 1=    82.393        d 1=   5.72    n 1=1.48749  ν 1=70.2
r 2=   638.263        d 2=   0.15                          
r 3=    79.489        d 3=   2.40    n 2=1.74950  ν 2=35.3
r 4=    44.991        d 4=   8.26    n 3=1.48749  ν 3=70.2
r 5=   580.665        d 5= 可変                            
r 6=  -116.792        d 6=   1.30    n 4=1.80610  ν 4=40.9
r 7=    24.209        d 7=   1.70                          
r 8=    27.331        d 8=   4.34    n 5=1.80518  ν 5=25.4
r 9=   143.045        d 9= 可変                            
r10=     0.000(絞り)  d10=  12.76                          
r11=   224.007        d11=   1.30    n 6=1.80518  ν 6=25.4
r12=    53.164        d12=   4.24    n 7=1.48749  ν 7=70.2
r13=   -35.991        d13= 可変                            
r14=   -69.865        d14=   3.78    n 8=1.51633  ν 8=64.1
r15=   -22.408        d15=   1.30    n 9=1.80100  ν 9=35.0
r16=   -48.518        d16=   0.15                          
r17=    44.607        d17=   3.01    n10=1.58267  ν10=46.4
r18=  -101.880        d18= 可変                            
r19=  -240.384        d19=   1.20    n11=1.72916  ν11=54.7
r20=    33.006        d20=   1.79                          
r21=  -207.584        d21=   1.20    n12=1.69680  ν12=55.5
r22=    32.601        d22=   2.77    n13=1.78472  ν13=25.7
r23=   424.104        d23= 可変                            
焦点距離  92.72 134.90 290.99
可変間隔                             
d  5      11.59  30.16  58.60  
d  9      29.01  19.89   5.00  
d 13       0.60   9.72  24.61  
d 18      23.05  18.23   0.70  
数値実施例４
f= 102.0〜291.0 FNo=1: 5.8〜5.8    2ω=23.9°〜8.5°
r 1=     0.000        d 1=   0.00                          
r 2=   184.271        d 2=   2.90    n 1=1.74950  ν 1=35.3
r 3=    64.422        d 3=   6.13    n 2=1.51633  ν 2=64.1
r 4=   753.995        d 4=   0.20                          
r 5=    88.607        d 5=   6.78    n 3=1.51633  ν 3=64.1
r 6=  -358.550        d 6= 可変                            
r 7=  -147.867        d 7=   1.50    n 4=1.71300  ν 4=53.9
r 8=    65.540        d 8=   2.73                          
r 9=   -73.654        d 9=   1.52    n 5=1.69680  ν 5=55.5
r10=    39.689        d10=   3.72    n 6=1.80518  ν 6=25.4
r11=   356.812        d11= 可変                            
r12=   105.917        d12=   5.86    n 7=1.51742  ν 7=52.4
r13=   -30.387        d13=   2.10    n 8=1.80518  ν 8=25.4
r14=   -56.123        d14= 可変                            
r15=     0.000(絞り)  d15=   1.90                          
r16=    24.798        d16=   8.79    n 9=1.61800  ν 9=63.3
r17=   -86.499        d17=   1.52    n10=1.80400  ν10=46.6
r18=    50.399        d18=   4.97                          
r19=    45.126        d19=   1.94    n11=1.83400  ν11=37.2
r20=    19.821        d20=   6.15    n12=1.57099  ν12=50.8
r21=    86.452        d21=   3.07                          
r22=    98.479        d22=   4.15    n13=1.67270  ν13=32.1
r23=   -43.697        d23=   5.25                          
r24=   -21.346        d24=   1.68    n14=1.71300  ν14=53.9
r25=    25.633        d25=   4.93    n15=1.60311  ν15=60.6
r26=  -130.999        d26= 可変                            
焦点距離 102.01 140.76 291.00 
可変間隔                             
d  6      11.18  34.89  67.19   
d 11      34.96  28.05   1.20   
d 14       5.88   3.08  11.64   
【００９３】
【表１】
2007003600.tif 000006
【００９４】
次に実施例１〜４に示したズームレンズを撮像装置に適用した実施例を図１３を用いて説明する。
【００９５】
図１３は一眼レフカメラの要部概略図である。図１３において、１０は実施例１〜４のズームレンズ１を有する撮影レンズである。
【００９６】
ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４、焦点板４に形成された逆像を正立像に変換するペンタダハプリズム５、その正立像を観察するための接眼レンズ６等によって構成されている。
【００９７】
７は感光面であり、ＣＣＤセンサやＣＭＯＳセンサ等の固体撮像素子（光電変換素子）や銀塩フィルムが配置される。
【００９８】
撮影時にはクイックリターンミラー３が光路から退避して、感光面７上に撮影レンズ１０によって像が形成される。
【００９９】
実施例１〜４にて説明した利益は、本実施例に開示したような光学機器において効果的に享受される。
【図面の簡単な説明】
【０１００】
【図１】実施例１のズームレンズの広角端におけるレンズ断面図
【図２】実施例１のズームレンズの広角端における諸収差図
【図３】実施例１のズームレンズの望遠端における諸収差図
【図４】実施例２のズームレンズの広角端におけるレンズ断面図
【図５】実施例２のズームレンズの広角端における諸収差図
【図６】実施例２のズームレンズの望遠端における諸収差図
【図７】実施例３のズームレンズの広角端におけるレンズ断面図
【図８】実施例３のズームレンズの広角端における諸収差図
【図９】実施例３のズームレンズの望遠端における諸収差図
【図１０】実施例４のズームレンズの広角端におけるレンズ断面図
【図１１】実施例４のズームレンズの広角端における諸収差図
【図１２】実施例４のズームレンズの望遠端における諸収差図
【図１３】本発明の撮像装置の要部概略図
【図１４】部分分散比θｇｄの標準線の説明図
【符号の説明】
【０１０１】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
ＬＲ  後群
ＳＰ  絞り
ＩＰ  像面
ｄ    ｄ線
ｇ    ｇ線
ｄＭ  ｄ線のメリディオナル像面
ｄＳ  ｄ線のサジタル像面
ｇＭ  ｇ線のメリディオナル像面
ｇＳ  ｇ線のサジタル像面
Ｆｎｏ  Ｆナンバー
１    ズームレンズ
２    鏡筒
１０  撮影レンズ
２０  カメラ本体
【図１】
2007003600.tif 000009
【図２】
2007003600.tif 000010
【図３】
2007003600.tif 000011
【図４】
2007003600.tif 000012
【図５】
2007003600.tif 000013
【図６】
2007003600.tif 000014
【図７】
2007003600.tif 000015
【図８】
2007003600.tif 000016
【図９】
2007003600.tif 000017
【図１１】
2007003600.tif 000018
【図１２】
2007003600.tif 000019
【図１３】
2007003600.tif 000020
【図１４】
2007003600.tif 000021
【図１０】
2007003600.tif 000022